(57)【要約】ウェブ上の童画，アニメ，ドラマ，映画などのリアルタイムイメージに顧客自らのイメージを自由に合成して自分だけの個別化された電子ブックおよびリストを編集して製作することができる，インターネットを介したリアルタイム個人電子ブック編集サービスシステムを提供する。登録された会員が自分のアカウントにログインして運営者サーバから商品リストを転送されるステップと，転送された商品リストから希望の商品およびデータを検索・選択して運営者サーバに転送するステップと，選択された商品のイメージデータを登録会員にリアルタイムで転送するステップと，転送された商品のイメージデータとウェブカメラで撮った登録会員のイメージとを会員が直接合成および編集して運営者サーバに転送するステップと，登録会員が演出した商品の合成イメージを評価して登録会員のアカウントに電子ブックとして格納・保管した後，登録会員からの要求がある時に送るステップとを含むことを特徴とする。これによって，ウェブ上の童画，アニメをはじめとしたドラマ，映画などのリアルタイムイメージに顧客自らのイメージを自由に合成および修正して童画または映画の背景画面または主人公として表現することができるため，学習能力が向上し，学習と共に余暇を楽しむことができる利点が得られる。
2005522805.tif 000002
【特許請求の範囲】
【請求項１】
登録会員が自分のアカウントにログインして，運営者サーバから商品リストを受信するステップと；
登録会員が前記転送された商品リストから所望する商品を購入し，所望のデータを検索・選択して，前記選択されたデータを前記運営者サーバに転送するステップと；
前記選択された商品のイメージデータを前記登録会員にリアルタイムで転送するステップと；
前記転送された商品のイメージデータと，ウェブカメラで撮った前記登録会員のイメージとを，前記登録会員が直接的に合成および編集して，前記合成イメージを前記運営者サーバに転送するステップと；
前記登録会員により作成された前記合成イメージを評価して，前記登録会員のアカウントに電子ブックとして格納した後，前記登録会員からの要求がある時に，前記登録会員に前記電子ブックを転送するステップと；
を含むことを特徴とする，インターネットを介したリアルタイム個人電子ブック編集サービス方法。
【請求項２】
前記登録会員が作成した前記合成イメージを前記登録会員のアカウントに格納する前に，電子ブックとして一時格納するステップをさらに含むことを特徴とする，請求項１に記載のインターネットを介したリアルタイム個人電子ブック編集サービス方法。
【請求項３】
前記商品は，童画，アニメ，映画およびドラマを含み，前記商品に関する１フレームの静止画像であることを特徴とする，請求項１または２に記載のインターネットを介したリアルタイム個人電子ブック編集サービス方法。
【請求項４】
前記登録会員の要求に応じて，前記保管された電子ブックをコンパクトディスクに書き込んで，オフラインで当該会員に届けるステップをさらに含むことを特徴とする，請求項１に記載のインターネットを介したリアルタイム個人電子ブック編集サービス方法。
【発明の詳細な説明】
【技術分野】
【０００１】
本発明は，インターネットを介した電子ブックの編集サービス方法に関し，より詳しくは，ウェブ上で転送される童画（ｆａｉｒｙ  ｔａｌｅ），アニメをはじめとしたドラマ，映画などのリアルタイムイメージに，顧客自らのイメージを自由に編集してリアルタイムで直接合成および修正することで，顧客だけの個別化された電子ブック（ｅ−ｂｏｏｋ）およびリスト（ｃｏｎｔｅｎｔｓ）を，インターネット網を介して提供できるインターネットを介したリアルタイム個人電子ブック編集サービス方法に関する。
【背景技術】
【０００２】
近年，データ通信技術の急激な発達は，超高速インターネット通信網の構築を実現し，これは，インターネットの大衆化をもたらした。一部の専門家だけが使っていたインターネットを今は全年齢層にわたって使用されており，特に，三十代や二十代のような若者にとっては，生活の一部分であるといえる程に重要な手段となった。
【０００３】
このように，インターネットの汎用化に伴い，多くの分野で情報の革命が起こり，今も持続的な発展がなされており，特に教育（読書）部分においては，インターネットによる遠隔学習を介して読書空間の限界を克服している。
【０００４】
前述のようなインターネットを用いた遠隔学習方法においては，電子ブック資料を提供する学習方法が広く知られている。このような電子ブック資料を提供する学習方法は，特定の会社が年齢層に合った学習教材を動画に編集してデータベース化しておき，学習者は，上記データベースから希望の動画学習情報をダウンロードして，パソコンなどの動画システムを用いて勉強などをするようになる。
【０００５】
例えば，会員である子供または青少年が，特定の有料童画サイトなどのインターネットを介して映像サービスを提供するサイトにアクセスして，希望の童画，アニメ，漫画，偉人伝或いは映画などを選択してダウンロードし，そのダウンロードしたものをもって読みながら学習をするようになる。
【０００６】
しかし，前述のような従来の学習方法は，過去のオンラインで幼稚園または学校などのような制限された場所で行われているため，現状としては，学習の効率が良くない。換言すれば，子供自らの才能，能力，興味とは無関係に，普遍的な童画や映画などのキャラクタや背景画面または主人公が出て千篇一律の内容をもって学習させているため，学習（読書）の達成感，意欲性を育てることができず，子供に学習に対する興味を持たせる効果が高くない。このため，最高の良質化した学習方法であるとしても，学習の価値性が低下してしまい，期待する学習効果が得られないなど，いろいろな改善点が残っている。
【０００７】
従って，前述のような学習方法における問題点を解決すると共に，より自律的な雰囲気で行われる良質の学習教育および家族とともに余暇を楽しむことができる，インターネットを介したリアルタイム個人電子ブック編集サービスシステムが要望されている。
【発明の開示】
【発明が解決しようとする課題】
【０００８】
そこで，本発明は，上記問題に鑑みてなされたものであり，本発明の目的とするところは，ウェブ上から転送される童画，アニメをはじめとしたドラマ，映画などのリアルタイムイメージに顧客自らのイメージを自由に合成および修正することで自分だけの個別化された電子ブックやリストを作り，これをもって繰り返し学習することができる，インターネットを介したリアルタイム個人電子ブック編集サービス方法を提供することにある。また，本発明の他の目的は，ウェブ上から転送される童画，アニメをはじめとしたドラマ，映画などのイメージに顧客自らのイメージが合成された電子ブックやリストをコンパクトディスクに書き込で当該顧客にサービスとして提供する，インターネットを介したリアルタイム個人電子ブック編集サービスシステムを提供することにある。
【課題を解決するための手段】
【０００９】
上記課題を解決するために，本発明によれば，インターネットを介したリアルタイム個人電子ブック編集サービス方法が提供される。この方法は，（１）登録された会員が自分のアカウントにログインするステップと，（２）上記登録会員のログインを確認してから商品リストを当該登録会員に転送するステップと，（３）上記転送された商品リストから希望の商品およびデータを検索・選択するステップと，（４）上記選択された商品のイメージデータを上記登録会員にリアルタイムで転送するステップと，（５）上記転送された商品のイメージデータと，ウェブカメラで撮った上記登録会員のイメージとを，登録会員が直接合成・修正して運営者サーバに転送するステップと，（６）上記転送された商品の合成イメージを評価して上記登録会員のアカウントに電子ブックとして格納・保管するステップとを含むことを特徴とする。
【００１０】
選択的に，上記登録会員が作成した商品の合成イメージを会員のアカウントに保管する前に，電子ブックとして一時的に格納して評価するようにするステップをさらに含んでもよい。
【００１１】
好ましくは，上記商品は，童画，アニメ，映画およびドラマを含み，上記商品に関する１フレームの静止画面であるようにしてもよい。
【００１２】
好ましくは，上記保管された電子ブックを，上記登録会員の要求に応じてコンパクトディスクに書き込んでオフラインで当該会員に届けるステップをさらに含んでもよい。
【００１３】
これによって，インターネットを介してリアルタイムでダウンロードされた童画，アニメ，ドラマ，映画などのイメージに顧客自らのイメージを自由に合成することで，自分だけの個別化された電子ブックを作ることができると共に，これを運営者サーバの会員アカウントに電子ブックとして格納・保管しておき，必要に応じてダウンロードして学習を行うことができる。さらに，ユーザは，上記個別化された電子ブックが書き込まれたコンパクトディスクを，オフラインで受け取ることができる。
【００１４】
従って，従来の，普遍的な童画を単に読む方式とは異なり，自分が希望する表情またはオリジナルのイメージを直接確認しながら，自ら演出して自分が物語の主人公となってみることで，学習の興味や能率が向上すると共に，余暇を楽しむことができるという利点がある。
【００１５】
よって，本発明のインターネットを介したリアルタイム個人電子ブック編集サービスシステムによれば，ウェブ上の童画，アニメ，ドラマ，映画などのイメージに顧客自らのイメージを自由に合成して自分だけの個別化された電子ブックを作ることができ，これを運営者サーバの会員アカウントに電子ブックとして格納・保管しておき，必要時に応じてダウンロードして学習に活用することで，学習の能力が向上し，学習と共に余暇を楽しむことができるという効果を奏する。
【００１６】
以下，本発明の好適な実施例について詳細に説明する。なお，実施例による本発明の目的，特徴および利点は，添付の図面に基づいた下記の説明からより明らかになるだろう。
【発明を実施するための最良の形態】
【００１７】
以下に添付図面を参照しながら，本発明の好適な実施の形態について詳細に説明する。
【００１８】
図１は，本発明の実施形態にかかるインターネットを介したリアルタイム個人電子ブック編集サービスシステムの構成を示すブロック図である。
【００１９】
本実施形態にかかるインターネットを介したリアルタイム個人電子ブック編集サービスシステムは，大別して，複数のクライアント１０−１〜１０−ｎと，第１〜第ｎのウェブブラウザ２０−１〜２０−ｎと，インターネット通信網３０と，運営者サーバ４０とから構成される。
【００２０】
第１〜第ｎのウェブブラウザ２０−１〜２０−ｎは，上記複数のクライアント１０−１〜１０−ｎによってキーボードやマウスを介して入力された様々なデータとユーザイメージを処理および転送し，また，インターネット通信網３０を介して，文字，静止画，動画などの特定の情報をリアルタイムで受信し，上記複数のクライアントが表示できるようにこの情報を上記複数のクライアントの画面上に表示して閲覧可能にする。さらに，運営者サーバ４０は，インターネット通信網３０に接続されている。運営者サーバ４０は，上記複数のクライアントに提供される童画，アニメ，映画などの静止画情報を格納している。運営者サーバ４０は，上記クライアントが自分のイメージを上記静止画情報に合成するために，インターネット通信網３０を介して特定情報を要請した時には，当該情報を上記クライアント端末に伝送し，さらに，転送された合成済みのイメージ情報を管理する。
【００２１】
ここで，上記運営者サーバ４０は，インターネット通信網３０と連結されて上記複数のウェブブラウザ２０−１〜２０−ｎから転送されたデータを処理して出力し，上記クライアントが要求した各種の情報をインターネット通信網３０を介して転送するウェブサーバ１００と；このウェブサーバ１００に入力されるクライアントの個人情報などを比較・分析すると共に，上記クライアントに必要な学習情報などをウェブサーバ１００を介して転送する運営コントローラ１０１と；この運営コントローラ１０１から入力された上記クライアントについての会員情報を格納する登録会員格納部１０７と；運営コントローラ１０１から入力された上記登録会員の合成イメージ情報を格納する登録会員イメージ格納部１０５と；上記クライアントが選択できるように種々の童画，アニメ，映画などの背景イメージやリストが格納されており，この格納された当該イメージ情報を運営コントローラ１０１の制御に応じて，ウェブサーバ１００およびインターネット通信網３０を介して，対応するクライアントのウェブブラウザ２０−１〜２０−ｎに提供するイメージ童画格納部１０３と；運営コントローラ１０１の制御に応じて，イメージ童画格納部１０３，登録会員イメージ格納部１０５，登録会員格納部１０７をそれぞれ管理・制御するためのイメージ童画管理部１０２，登録会員イメージ管理部１０４および登録会員管理部１０６と；上記運営コントローラ１０１の制御に応じて，イメージ合成プログラムをウェブサーバ１００およびインターネット通信網３０を介して当該クライアントのウェブブラウザに送信して，上記クライアントが自身のイメージの合成や修正をできるようにするイメージ合成プログラム提供部１０８と；運営コントローラ１０１の制御に応じて，オンラインで支払うか否かを確認するオンライン支払部１０９と；上記クライアントに届けるために，運営コントローラ１０１の制御に応じて，登録会員イメージ格納部１０５に格納された合成イメージ情報をコンパクトディスクに書き込むイメージ編集部１１０と；からなる。
【００２２】
ここで，上記運営者サーバ４０のイメージ童画管理部１０２，登録会員イメージ管理部１０４および登録会員管理部１０６は，それぞれ，イメージ童画格納部１０３，登録会員イメージ格納部１０５，登録会員格納部１０７に対する情報の格納または削除を制御するためのプログラムである。
【００２３】
また，上記で，複数のウェブブラウザ２０−１〜２０−ｎは，図２に示されたように，インターネット通信網３０に接続されて運営者サーバ４０と情報をインターフェースするインターネット接続部２８と，図示しないキーボードやマウスの操作により格納部２７に格納されたプログラムを読み込んでシステム全体の動作を制御する中央処理装置２３と，中央処理装置２３の制御に応じて，各種のデータファイルが格納されているハードディスク２６を制御して読み出しおよび書き込みするハードディスク制御部２５と，中央処理装置２３の制御に応じて，インターネット接続部２８を介してダウンロードしたデータおよびハードディスク２６から読み出したデータを画面に表示するモニター等の画像表示装置２４と，上記クライアントが位置した適所に設けられ，クライアントのイメージを撮像するウェブカメラ２１と，中央処理装置２３の制御に応じてウェブカメラ２１の駆動を制御して，撮像されたイメージが入力され，この入力されたイメージを処理して中央処理装置２３を介して画像表示装置２４およびインターネット通信網３０に転送するカメラ駆動部２２と，からなる。
【００２４】
また，図３は，複数のクライアントが運営者サーバ側で運営する電子ブック編集プログラムに会員として登録し，運営者サーバから提供されるイメージ情報にクライアント自らのイメージを合成または修正した後，運営者サーバに電子ブックとして保管するための，本実施形態にかかるインターネットを介したリアルタイム個人電子ブック編集サービス方法を示すフローチャートである。
【００２５】
以下，図１乃至図４を参照して本実施形態についてさらに詳述する。
【００２６】
図３に示されたように，まず，複数のクライアント１０−１〜１０−ｎが当該ウェブブラウザ２０−１〜２０−ｎを用いて特定のウェブサイトサーバへの接続を要求すると（ＳＴ１０），当該ウェブブラウザ２０−１〜２０−ｎ内の中央処理装置２３は，インターネット接続部２８，インターネット通信網３０を介して，運営者サーバ４０のウェブサーバ１００からデータを受信する。これにより，ホームページのウェブ文書が，ブラウザ上に，即ち，画像表示装置２４の画面に表示されると共に，会員確認ウィンドウが表示される。
【００２７】
このとき，クライアントは，キーボードを操作して予め設定しておいた自分のＩＤやパスワードを入力すると（ＳＴ１１），この入力されたＩＤおよびパスワードは，複数のウェブブラウザ２０−１〜２０−ｎおよびインターネット通信網３０を介して，運営者サーバ４０のウェブサーバ１００に伝達される。運営コントローラ１０１は，登録会員イメージ管理部１０４を介して，上記入力されたＩＤおよびパスワードが登録会員格納部１０７に既設定された内容と一致するか否かを確認する（ＳＴ１２）。
【００２８】
前述のＳＴ１２において，登録会員でないと判断されると，ウェブサーバ１００は，イメージ童画管理部１０２を介してイメージ童画格納部１０３に格納されているサンプル資料，即ち童画イメージ（ｆａｉｒｙ  ｔａｌｅ  ｉｍａｇｅ）とリスト（Ｃｏｎｔｅｎｔｓ）を読み込み，また，イメージ合成プログラム提供部１０８からイメージ合成プログラム１０８情報を読み込んで，これらをインターネット通信網３０を介して当該クライアントのウェブブラウザ２０−１〜２０−ｎに転送する（ＳＴ１３）。上記転送されたサンプル資料は，インターネット接続部２８および中央処理装置２３を介して画像表示装置２４に表示される。このとき，当該クライアントは，画像表示装置２４に表示されるイメージ合成プログラムの案内を受けながら，上記表示されたサンプル背景画面から希望の部分を削除または修正する（ＳＴ１４）。次いで，クライアントは，ウェブカメラ２１で自分のイメージを撮像して（ＳＴ１５）から，上記削除または修正された部分に，上記撮像したイメージを合成してみる（ＳＴ１６）。このように運営者サーバ４０から転送されたサンプルイメージに自分のイメージを合成した結果を見て満足したクライアントは，運営者サーバ４０のウェブサイトに会員として加入するための手続きを踏むようになる。このとき，会員として登録するためには，運営者サーバ４０から転送されたウェブ文書に，前述のように自分のＩＤやパスワードおよび個人情報などを入力する必要がある。
【００２９】
そして，上記の過程を経て会員登録手続き後に，自分のアカウントを用いて運営者サーバ４０のウェブページにログインすると（ＳＴ１７），運営者サーバ４０の運営コントローラ１０１は，サービス提供のためにイメージ童画管理部１０２を介してイメージ童画格納部１０３に格納されている商品リスト（童画，映画，アニメなど）を，ウェブサーバ１００，インターネット通信網３０を介してクライアントのウェブブラウザに送り（ＳＴ１８），この結果，クライアントは，合成しようとする所望のイメージを選択できるようになる。
【００３０】
その後，当該登録会員が所望のコンテンツイメージを選択すると，上記選択されたデータに対してオンライン支払部１０９を介して支払われるべき使用料を表す情報が，クライアントのウェブブラウザ上に表示される。会員によりオンライン支払が完了すると，運営者サーバ４０の運営コントローラ１０１は，上記選択されたリストの童画，映画，アニメなどのイメージをイメージ童画格納部１０３から読み出して，ウェブサーバ１００，インターネット通信網３０を介してリアルタイムで，当該イメージをウェブブラウザ２０−１〜２０−ｎの画像表示装置２４に活性化させる。同時に，運営コントローラ１０１は，イメージ合成プログラム格納部１０８に格納されたイメージ合成プログラムを，表示のために画像表示装置２４に転送する（ＳＴ１９）。クライアントは，画像表示装置２４にリアルタイムで表示されるイメージを確認しながら，所望の画面の背景やキャラクタまたは主人公に代えて自分のイメージを挿入するために，ブラウザ上の編集ボタンをクリックすると，当該イメージのフレームを決定できる。
【００３１】
このような状態で，クライアントは，上記イメージ合成プログラムの案内に従って，背景画面の編集を行う。即ち，図４（ａ）のように童画イメージが選択されて画面に表示された状態で，クライアントが希望の部分，例えば，顔を自分の顔イメージに合成しようとする場合，まず，上記イメージ合成プログラムの案内に従って，顔を図４（ｂ）のように編集する（ＳＴ２０）。次いで，クライアントのイメージをウェブカメラ２１で撮像する（ＳＴ２１）。次いで，クライアントは，運営サーバ４０から提供されるイメージ合成プログラムを用いて，図４（ｃ）のように上記編集用画面にクライアントのイメージを合成する（ＳＴ２２）。このとき，合成部分およびクライアントイメージの色や明暗，サイズを調整して，より自然なイメージを演出する。そして，イメージ合成の製作が完了していない場合には（ＳＴ２３），上記ＳＴ１９〜ＳＴ２２の過程を繰り返して修正しながらイメージ合成を行う。
【００３２】
このようにしてイメージ合成が完了すると，修正されたイメージは，インターネット通信網３０を介して運営者サーバ４０のウェブサーバ１００に転送され，クライアントアカウントの登録会員イメージ格納部１０５に所定時間，仮格納される。以上までの手順で格納されたイメージは，クライアントの評価によって，再度，ステップＳＴ２１以後の過程を経て修正または選択されてもよい（ＳＴ２４，ＳＴ２５）。次いで，最終選択されたイメージ情報は，単位別に（童画の場合，フレーム単位で）登録会員イメージ格納部１０５に電子ブックとして格納・保管される（ＳＴ２６）。以後，登録会員が要求すると，上記イメージ合成による個別化された電子ブックをインターネットを介して送ることで，会員の学習などに提供する。
【００３３】
一方，登録会員が編集した上記電子ブックを，インターネット上でなく，コンパクトディスクとして直接受け取ることを希望する場合は，運営者サーバ４０のイメージ編集部１１０で上記電子ブックをコンパクトディスクに書き込んだ後，登録会員格納部１０７の会員情報に記載された住所宛にオフラインで届けることで，登録会員は，自分が製作した電子ブックを直接受け取ることが可能となる。
【００３４】
なお，比較例としての従来の技術では，ユーザは，特定の有料童画サイトや他のインターネットによる映像サービスサイトにアクセスして，希望の童画，アニメ，漫画偉人伝，映画などをダウンロードして学習していた。これに対し，本発明では，ウェブ上で，童画，アニメ，ドラマ，映画などのイメージに，顧客自らのイメージを自由に合成することができる。このため，上記のように自分だけの個別化された電子ブックを活用して学習することができる。
【００３５】
このように，本発明によれば，既存の普遍的な童画を単に読んでいることとは異なり，ウェブ上から転送される童画，アニメをはじめとしたドラマ，映画などのリアルタイムイメージに，ユーザ自らのイメージを自由に合成および修正することで，童画または映画の背景画面または主人公として表現することができ，学習能力が向上すると共に学習と余暇とを共に楽しむことができる利点が得られる。
【００３６】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００３７】
【図１】本発明の実施形態にかかるインターネットを介したリアルタイム個人電子ブック編集サービスシステムの構成を示すブロック図である。
【図２】図１のクライアントウェブブラウザの詳細を示したブロック図である。
【図３】本発明の実施形態にかかるインターネットを介したリアルタイム個人電子ブック編集サービス方法を示すフローチャートである。
【図４ａ】本発明の実施形態にかかる図１のインターネットから提供される童画から，個人的な電子ブックを製作する過程において，インターネット上で選択された童画の背景画面を示す図である。
【図４ｂ】本発明の実施形態にかかる図１のインターネットから提供される童画から，個人的な電子ブックを製作する過程を示すにおいて，（ａ）の背景画面の一部を合成が容易になるように編集した状態の画面を示す図である。
【図４ｃ】本発明の実施形態にかかる図１のインターネットから提供される童画から，個人的な電子ブックを製作する過程において，図２のユーザーウェブカメラで撮ったユーザのイメージを上記編集された背景画面に合成した状態を示す図である。
【図１】
2005522805.tif 000003
【図２】
2005522805.tif 000004
【図３】
2005522805.tif 000005
【図４ａ】
2005522805.tif 000006
【図４ｂ】
2005522805.tif 000007
【図４ｃ】
2005522805.tif 000008
【国際調査報告】
2005522805.tif 000009